(57)【特許請求の範囲】
【請求項１】
点灯及び消灯が可能な照明部と、遠方上の物体の存在の有無及び当該物体までの距離を測定する測距センサと、外部からの操作を受け付ける入力部と、予め定めてある時間までカウントをするタイマーと、を有する電子機器において、
前記入力部が外部からの操作を受け付けた場合に前記タイマーのカウントをスタートすると共に前記測距センサが測定を開始し、
前記測距センサが測定を行った結果、前記遠方上の物体が存在し、且つ、当該物体までの距離が予め上限と下限を設定した範囲の中にある場合に条件を満たしていると判断して前記照明部を点灯させ、前記条件を満たしていない場合には利用者からの操作を受け付けると該操作に応じた所定の処理は行うが前記照明部を点灯させず、前記タイマーがタイムアウトするまでに、再度前記条件が満たされない場合は前記照明部を消灯させることを特徴とする電子機器。
【請求項２】
請求項１に記載の電子機器において、
前記照明部は前記電子機器が備えている利用者に情報を提示するための表示部を照らすためのバックライトであることを特徴とする電子機器。
【請求項３】
請求項１又は２に記載の電子機器において、
前記照明部は前記電子機器が備えている利用者からの操作を受け付けるための入力部を照らすためのバックライトであることを特徴とする電子機器。
【請求項４】
請求項１乃至３の何れか１項に記載の電子機器において、
前記照明部の点灯若しくは消灯と共に、音を発する鳴音報知部又は当該電子機器を振動させるバイブレータの何れか若しくはその組合せの制御も行うことを特徴とする電子機器。
【請求項５】
点灯及び消灯が可能な照明部と、遠方上の物体の存在の有無及び当該物体までの距離を測定する測距センサと、外部からの操作を受け付ける入力部と、予め定めてある時間までカウントをするタイマーと、を有する電子機器が行う省電方法において、
前記入力部が外部からの操作を受け付けた場合に前記タイマーのカウントをスタートすると共に前記測距センサが測定を開始し、
前記測距センサが測定を行った結果、前記遠方上の物体が存在し、且つ、当該物体までの距離が予め上限と下限を設定した範囲の中にある場合に条件を満たしていると判断して前記照明部を点灯させ、前記条件を満たしていない場合には利用者からの操作を受け付けると該操作に応じた所定の処理は行うが前記照明部を点灯させず、前記タイマーがタイムアウトするまでに、再度前記条件が満たされない場合は前記照明部を消灯させることを特徴とする省電方法。
【請求項６】
点灯及び消灯が可能な照明部と、遠方上の物体の存在の有無及び当該物体までの距離を測定する測距センサと、外部からの操作を受け付ける入力部と、予め定めてある時間までカウントをするタイマーと、を有する電子機器に搭載される省電プログラムにおいて、
前記測距センサが測定を行った結果、前記遠方上の物体が存在し、且つ、当該物体までの距離が予め上限と下限を設定した範囲の中である場合に条件を満たしていると判断して前記照明部を点灯させ、前記条件を満たしていない場合には利用者からの操作を受け付けると該操作に応じた所定の処理は行うが前記照明部を点灯させず、前記タイマーがタイムアウトするまでに、再度前記条件が満たされない場合は前記照明部を消灯させる電子機器としてコンピュータを機能させることを特徴とする省電プログラム。
【発明の詳細な説明】
【技術分野】
【０００１】
本発明は携帯電話機や携帯音楽再生機等の表示部と操作部を持つ小型電子機器に関し、より詳細には、小型電子機器使用中の電流削減に関する。
【背景技術】
【０００２】
携帯電話機や携帯音楽再生機等の表示部を持つ小型電子機器は、バッテリーの容量に制限があることから電流消費の削減が非常に重要な問題となる。特に、表示部及び表示部用バックライトの電流消費が機器の使用時間に大きく関わっており、この電流消費削減のために様々な手段が考えられている。
【０００３】
この点、表示部及び表示部用バックライトの電流消費を削減するために例えば、照度センサを使用することにより周囲の明るさを感知し、バックライトが表示部を最適な照度に調整することによって電流消費を削減する手段が、特許文献１に記載されている。
【先行技術文献】
【特許文献】
【０００４】
【特許文献１】特開平４−３４３５２９号公報
【発明の概要】
【発明が解決しようとする課題】
【０００５】
上述したように、特許文献１に記載されているような手段では、バックライトの電流量を削減することが可能である。しかしながら、装置の使用時間を更に延命するためには、表示部及び表示部用バックライトを完全にオフすることが望ましい。
【０００６】
また、ユーザーは携帯電話機や携帯音楽再生機の操作時に、表示画面を見ながら操作を行うが、操作時以外は表示を見ない。つまり操作時以外は電流消費の大きい表示部及び表示部用バックライトをオフにすることが望ましい。
【０００７】
とくに小型電子機器は、小型であるために鞄やポケットに入れて持ち歩くことが多い。そして、鞄やポケットの中でボタンが押されることで、あたかもユーザーによる操作が有ったものとみなし、表示部及び表示部用バックライトをオンにしてしまい、無駄な電流消費をしている。
【０００８】
他方、携帯電話機のような無線通信機を持つ小型電子機器はインターネット等に接続して情報を得るが、無線通信システムの通信スピードや画面の情報データの大きさ等の影響で情報データの取得に一定時間以上の通信時間が必要である。この点、ユーザーにとってはこの通信時間は待ち時間であり、機器としては画面に「通信中」「情報取得中」といった表示をしているだけで、ユーザーに無益な情報表示のための表示部及び表示部用バックライトを点灯するのは無駄である。
【０００９】
つまり、一般的な技術では、以下に示すような複数の課題が解決できていないといえる。
【００１０】
ここで、１つめの課題は、機器の使用時間を延命するために電流消費の大きい表示部及び表示部用バックライトの電流消費を削減することである。
【００１１】
２つめの課題は、必要最低限でのみ表示部及び表示部用バックライトオンにすることが望ましいが、ユーザーの意図しない誤押しでも表示部及び表示部用バックライトが点灯してしまうため、無駄に電流を消費しているため、これを解決したいということである。
【００１２】
３つめの課題は、ユーザーが表示部から情報を必要とするときにのみ表示部及び表示部用バックライトを点灯することにより無駄な電流消費を無くしたいということである。具体例として、たとえば、携帯電話機を鞄に入れてメールが来た場合、鞄の中で表示がついていても、ユーザーはその表示を観ることができず、その間の表示部及び表示部用バックライトの電流消費が無駄である。
【００１３】
そこで、本発明は、携帯電話機や携帯音楽再生機等の表示部と操作部を持つ小型電子機器において、表示部及び表示部用バックライトの制御により、使用中の電流削減を行い、機器の使用時間を延命することが可能な、表示部をもつ小型電子機器の省電方法、その装置及びそのプログラムを提供することを目的とする。
【課題を解決するための手段】
【００１４】
本発明の第１の観点によれば、点灯及び消灯が可能な照明部と、遠方上の物体の存在の有無及び当該物体までの距離を測定する測距センサと、外部からの操作を受け付ける入力部と、予め定めてある時間までカウントをするタイマーと、を有する電子機器において、前記入力部が外部からの操作を受け付けた場合に前記タイマーのカウントをスタートすると共に前記測距センサが測定を開始し、前記測距センサが測定を行った結果、前記遠方上の物体が存在し、且つ、当該物体までの距離が予め上限と下限を設定した範囲の中にある場合に条件を満たしていると判断して前記照明部を点灯させ、前記条件を満たしていない場合には利用者からの操作を受け付けると該操作に応じた所定の処理は行うが前記照明部を点灯させず、前記タイマーがタイムアウトするまでに、再度前記条件が満たされない場合は前記照明部を消灯させることを特徴とする電子機器が提供される。
【００１５】
本発明の第２の観点によれば、点灯及び消灯が可能な照明部と、遠方上の物体の存在の有無及び当該物体までの距離を測定する測距センサと、外部からの操作を受け付ける入力部と、予め定めてある時間までカウントをするタイマーと、を有する電子機器が行う省電方法において、前記入力部が外部からの操作を受け付けた場合に前記タイマーのカウントをスタートすると共に前記測距センサが測定を開始し、前記測距センサが測定を行った結果、前記遠方上の物体が存在し、且つ、当該物体までの距離が予め上限と下限を設定した範囲の中にある場合に条件を満たしていると判断して前記照明部を点灯させ、前記条件を満たしていない場合には利用者からの操作を受け付けると該操作に応じた所定の処理は行うが前記照明部を点灯させず、前記タイマーがタイムアウトするまでに、再度前記条件が満たされない場合は前記照明部を消灯させることを特徴とする省電方法が提供される。
【００１６】
本発明の第３の観点によれば、点灯及び消灯が可能な照明部と、遠方上の物体の存在の有無及び当該物体までの距離を測定する測距センサと、外部からの操作を受け付ける入力部と、予め定めてある時間までカウントをするタイマーと、を有する電子機器に搭載される省電プログラムにおいて、前記測距センサが測定を行った結果、前記遠方上の物体が存在し、且つ、当該物体までの距離が予め上限と下限を設定した範囲の中である場合に条件を満たしていると判断して前記照明部を点灯させ、前記条件を満たしていない場合には利用者からの操作を受け付けると該操作に応じた所定の処理は行うが前記照明部を点灯させず、前記タイマーがタイムアウトするまでに、再度前記条件が満たされない場合は前記照明部を消灯させる電子機器としてコンピュータを機能させることを特徴とする省電プログラムが提供される。
【発明の効果】
【００１７】
本発明によれば、測距センサを具備し、この測距センサを利用することから不必要なバックライトの点灯を制御でき、使用中の電流削減を行い、機器の使用時間を延命することが可能となる。
【図面の簡単な説明】
【００１８】
【図１】本発明の第１及び第２の実施形態の基本的構成を表すブロック図である。
【図２】本発明の第１及び第２の実施形態における小型電子機器１００を携帯電話機として実現した例を表す図である。
【図３】本実施形態に関連する一般的な技術の動作を表すフローチャート図である。
【図４】本発明の第１の実施形態の動作を表すフローチャート図である。
【図５】本発明の第２の実施形態の動作を表すフローチャート図である。
【発明を実施するための形態】
【００１９】
まず、本発明の実施形態の概略を説明する。本発明の実施形態は上述の課題を解決する為に、本発明の実施形態では測距センサを具備し、操作部の操作が使用者による意図的な操作か否かを検出し、表示部及び表示用バックライトの点灯消灯を制御する。また使用者による操作中に於いても使用者にとって無益な待機時間の表示部及び表示用バックライトの点灯消灯を制御する。つまり不必要なバックライトの点灯を制御し、小型電子機器の使用時間延命を図る手段を提供する。以上が本願発明の実施形態の概略である。
【００２０】
次に、本発明の実施形態について図面を用いて詳細に説明する。
【００２１】
［第１の実施形態］
以下に、本発明の第１の実施形態を、図１乃至図４を参照して説明する。
【００２２】
図１は、本発明の第１の実施形態に係る小型電子機器１００の構成を示すブロック図である。
【００２３】
図１において、本発明による小型電子機器１００はアンテナ１０１、無線通信部１０２、制御部１０３、表示部１０４、表示用バックライト１０５、キー入力部１０６、キー入力部用バックライト１０７、クロック回路１０８、鳴音報知部１０９、測距センサ１１０、報知ＬＥＤ（Light Emitting Diode）１１１、周辺回路１１２及び電池１１３を有している。なお、表示用バックライト１０５及びキー入力部用バックライト１０７は、本発明の「照明部」に相当する部分である。
【００２４】
アンテナ１０１及び無線通信部１０２は、小型電子機器１００が外部とデータを送受信するための機能を有する。本実施形態を実現する具体例として、小型電子機器１００が携帯電話機の場合には、アンテナ１０１及び無線通信部１０２は既知の無線電話通信システムに合致した無線回路により実現される。
【００２５】
また、本実施形態を実現する場合に、図１に示す構成要素の全てを必ずしも備える必要はない。例えば小型電子機器１００の例として携帯音楽プレーヤーや携帯ゲーム機の場合には、アンテナ１０１及び無線通信部１０２は無線ＬＡＮシステムやＢｌｕｅｔｏｏｔｈ（登録商標）といった規格に準拠した無線回路により実現してもよいし、無線回路が無くとも良い。また、携帯音楽プレーヤーや携帯ゲーム機の場合には、報知ＬＥＤ１１１が無くとも良い。
【００２６】
制御部１０３は小型電子機器１００の動作を制御するための機能を有している。制御部１０３は、一連のデバイスで構成されており、具体的には制御をするためのプログラム（ソフトウェア）を格納、処理する為のメモリやＣＰＵ（Central Processing Unit）といったハードウェアを具備している。なお、これらのプログラム、ＣＰＵ及びメモリは図示を省略する。
【００２７】
加えて、表示部１０４、表示部用バックライト１０５、キー入力部１０６、キー入力部用バックライト１０７、鳴音報知部１０９、測距センサ１１０、報知ＬＥＤ１１１、周辺回路１１２、の駆動制御する為の駆動回路及び制御手段も制御部１０３が具備しているものとして以下では説明をする（ただし、説明の便宜上制御部１０３に含んだが、制御部１０３以外の独立したデバイスやＩＣで構成してもよい）。
【００２８】
制御部１０３はユーザーからのキー入力部１０６によるキー入力操作に応じて小型電子機器１００の種々の動作を実行し、表示部１０４はその動作に応じた画面表示を行う。表示部用バックライト１０５は制御部１０３により制御され、表示部１０４とともに点灯消灯する。表示部１０４と表示部用バックライト１０５は有機エレクトロルミネッセンス（有機EL：Organic Electro-Luminescence）等で単一のデバイスとして構成しても良いが、本発明では別デバイスとして説明する。
【００２９】
キー入力部１０６はユーザーからのキー入力操作を受け付ける。キー入力部用バックライト１０７は暗闇でのキー入力部１０６の操作を行うための光源であり、制御部１０３によって点灯消灯を制御される。本発明においては表示部１０４及び表示部用バックライト１０５と同じように点灯消灯を制御して説明するが、機器１００の仕様や構成によって各々別々に制御しても良い。
【００３０】
クロック回路１０８は制御部１０３内のＣＰＵ（上述したように図示は省略している。）の動作クロックや表示部１０４や表示部用バックライト、キー入力部用バックライト１０７の点灯消灯制御時のタイマーとして構成される。
【００３１】
鳴音報知部１０９はスピーカ等で実現され、小型電子機器１００の動作に応じて、制御部１０３及び図示しない駆動回路により音を発する。
【００３２】
測距センサ１１０は赤外線等による距離を測定するセンサであり、小型電子機器１００の表示部１０４と同一面に実装することで、測距センサ１１０（表示部１０４）からの遠方上の物体までの距離を測定する。
【００３３】
ここで、図２に小型電子機器１００を携帯電話機として実現した例を示す。図２を参照すると表示部１０４と測距センサ１１０が同一面に実装されていることが分かる。なお、説明の便宜上測距センサ１１０を単一のデバイスとして表現しているが、測距センサ１１０は複数のデバイスにより構成されていてもよい。また、その形状や大きさも特に限定されるものではない。
【００３４】
測距センサ１１０の測定結果は、制御部１０３の制御に用いられる。具体的には、制御部１０３は、測距センサ１１０の測定結果に応じて、表示部１０４や表示部用バックライト１０５、キー入力部用バックライト１０７の点灯消灯制御を行う。
【００３５】
ここで、測距センサ１１０の測定結果をどのように扱うかは任意であるが、例えば「有効」と「無効」の２つとして扱うようにしてもよい。この場合、小型電子機器１００の表示部１０４から１０〜８０ｃｍ程度に物体がある場合に有効となるように設定するのが良い。
【００３６】
なぜならば、ユーザーが小型電子機器１００を表示部１０４を見ながら操作するのは１０〜８０ｃｍ程度が良いからである。これは表示部１０４の見易さとユーザーの手の長さによって決めることができる。一方、１０ｃｍ以下では表示部が近すぎてユーザーからは見えにくく、また小型電子機器１００を鞄やポケット等に入れた場合には、測距センサ１１０（表示部１０４）からの遠方上の物体までの距離はほぼ０ｃｍになると考えられ、これらの状況（１０ｃｍ未満や８０ｃｍ以上の状況）では測距センサ１１０の測定結果は無効となるように設定するのが良い。
【００３７】
また、１０〜８０ｃｍ程度に物体がない場合には、ユーザーによる表示部の視認、及び操作が行われていないと考えることができ、８０ｃｍ以上では人間の手の長さを超えていると考えられるから、ユーザーによる視認が行われていないと考えることができる。この状況でも測距センサ１１０の測定結果は無効となるように設定する。
【００３８】
報知ＬＥＤ１１１は、小型電子機器１００の動作に応じて、制御部１０３及び図示しない駆動回路によりＬＥＤを点灯消灯する。周辺回路１１２はバイブレータやカメラ用レンズ等であり、小型電子機器１００によっては無くてもよい。電池１１３は小型電子機器１００の電源である。
【００３９】
次に図３及び図４を参照して本実施形態の動作について説明する。
【００４０】
図３は、本実施形態ではなく、本実施形態との比較のために説明する一般的な技術の動作を説明するフローチャート図である。
【００４１】
図３において、小型電子機器１００はユーザーからの操作、つまりキー入力部１０６が入力を受け付けるのを待っている（図３ステップＳ２０１においてＮｏ）。
【００４２】
そして、制御部１０３はキー入力部１０６への入力を検出すると（図３ステップＳ２０１においてＹｅｓ）、クロック回路１０８のクロックを利用して動作するｔ秒タイマーを初期化した上で、ｔ秒タイマーを作動させ、表示部１０４、表示部用バックライト１０５を点灯する（図３ステップＳ２０２）。
【００４３】
ここで、ｔ秒タイマーは一度受け付けたキー入力操作から、次のキー入力操作までの時間をカウントするものであり、ｔ秒タイマーがタイムアウトするまでキー入力操作を待つ（図３ステップＳ２０３においてＮｏ及びステップＳ２０４においてＮｏ）。一般的な技術では、キー入力操作とともに表示部１０４、表示部用バックライト１０５を点灯し、タイムアウトまでにキー入力操作がない場合には（図３ステップＳ２０３においてＹｅｓ）表示部１０４、表示部用バックライト１０５を消灯させ（図３ステップＳ２０５）、電流消費の低減を図ろうとしている。しかし、一般的な技術では、キー入力操作があった場合に（ステップＳ２０４においてＮｏ）、該キー入力操作がユーザーによる意図された操作なのか、小型電子機器１００が鞄やポケットの中で偶然にキーが押されたものかに関わらず表示部１０４、表示部用バックライト１０５を点灯させてしまう（図３ステップＳ２０２）。そのため、無駄な電流消費が行われていた。
【００４４】
続いて、他の動作についても説明をする。制御部１０３はｔ秒タイマーが予め設定された時間（ｔ秒）までタイマーをカウントする（図３ステップＳ２０３）と共に、ｔ秒タイマーカウント中にキー入力操作が有るかを検出する（図３ステップＳ２０４）。図３ステップＳ２０４においてキー入力操作が有る場合には（図３ステップＳ２０４においてＹｅｓ）、キー入力操作に従った所定の処理を実行し、ステップＳ２０２の処理を行う。ｔ秒タイマーのタイムアウトまでにキー入力操作がない場合には表示部１０４、表示部用バックライト１０５を消灯させ（図３ステップＳ２０５）、キー入力部１０６への入力待機を行う（図３ステップＳ２０１）。
【００４５】
次に、本発明の第１の実施形態の動作を説明する。図４は、本発明の第１の実施形態の動作を説明するフローチャート図である。
【００４６】
図４において、小型電子機器１００はユーザーからの操作、つまりキー入力部１０６が入力を受け付けるのを待っている（図４ステップＳ３０１）。制御部１０３はキー入力部１０６への入力を検出すると、クロック回路１０８のクロックを利用して動作するｔ秒タイマーを初期化し、ｔ秒タイマーを作動させる（図４ステップＳ３０２）。
【００４７】
ここで、ｔ秒タイマーはユーザーからのキー入力部１０６のキー入力操作までの時間をカウントするものであり、ｔ秒タイマーがタイムアウトするまでキー入力部１０６は、ユーザーからのキー入力を待つ。
【００４８】
第１の実施形態では、キー入力操作により、制御部１０３は測距センサ１１０による測定結果に応じて、有効と検出した場合には、ユーザーによるキー入力操作と判断し、表示部１０４、表示部用バックライト１０５を点灯する。
【００４９】
一方、制御部１０３は測距センサ１１０による測定結果が無効と検出した場合には、ユーザーによるキー入力操作ではない、つまり小型電子機器１００が鞄やポケットの中で偶然キーが押されたものと判断し、表示部１０４、表示部用バックライト１０５を点灯しない。これにより、無駄な電流消費を防止することが可能となる。
【００５０】
制御部１０３は測距センサ１１０の測定結果から、ステップＳ３０１で行われたキー入力操作が、ユーザーによる意図的なものかを判断する（図４ステップＳ３０３）。
【００５１】
図４ステップＳ３０３において、無効と検出した場合にはユーザーによるキー入力操作ではない、つまり小型電子機器１００が鞄やポケットの中で偶然キーが押されたものと判断し（図４ステップＳ３０３においてＮｏ）、制御部１０３はｔ秒タイマーが予め設定された時間（ｔ秒）までタイマーをカウントする（図４ステップＳ３０４）と共に、ｔ秒タイマーカウント中にキー入力操作が有るかを検出する（図４ステップＳ３０５）。
【００５２】
図４ステップＳ３０５において、キー入力操作が有ると検出した場合には（図４ステップＳ３０５においてＹｅｓ）、キー入力操作に従った所定の処理を実行し、ステップＳ３０２の処理を行う。これは、例えばユーザーが表示を見ないで操作している場合と考えられ、表示部１０４、表示部用バックライト１０５を点灯しないまま機器１００の操作が可能であり、ユーザーが表示を見ていないのであるから表示部１０４、表示部用バックライト１０５を点灯する必要も無く、無駄な電流消費を防止できる。
【００５３】
図４ステップＳ３０５において、キー入力操作が無く（図４ステップＳ３０５においてＮｏ）、ステップＳ３０４でｔ秒タイマーがタイムアウトした場合には（図４ステップＳ３０４においてＹｅｓ）、ユーザーによる意図的なものではなく、偶然キーが押されたものと判断でき、キー入力部１０６への入力待機を行う（図４ステップＳ３０１）。
【００５４】
図４ステップＳ３０３において、有効と検出した場合にはユーザーによるキー入力操作であると判断し（図４ステップＳ３０３においてＹｅｓ）、制御部１０３は表示部１０４、表示部用バックライト１０５を点灯する（図４ステップＳ３０６）。
【００５５】
制御部１０３はｔ秒タイマーが予め設定された時間（ｔ秒）までタイマーをカウントする（図４ステップＳ３０７）と共に、ｔ秒タイマーカウント中にキー入力操作が有るかを検出する（図４ステップＳ３０９）。
【００５６】
図４ステップＳ３０９において、キー入力操作が有ると検出した場合には（図４ステップＳ３０９においてＹｅｓ）、キー入力操作に従った所定の処理を実行し、ｔ秒タイマーを初期化し、ｔ秒タイマーを作動させる（図４ステップＳ３１０）。
【００５７】
制御部１０３は測距センサ１１０の測定結果から、ステップＳ３０９で行われたキー入力操作が、ユーザーによる意図的なものかを判断する（図４ステップＳ３１１）。
【００５８】
図４ステップＳ３１１において、無効と検出した場合には（図４ステップＳ３においてＮｏ）ユーザーによるキー入力操作ではない、つまり小型電子機器１００が鞄やポケットの中で偶然キーが押されたものと判断し、制御部１０３はｔ秒タイマーが予め設定された時間（ｔ秒）までタイマーをカウントする（図４ステップＳ３０７）と共に、ｔ秒タイマーカウント中にキー入力操作が有るかを検出する（図４ステップＳ３０９）。
【００５９】
図４ステップＳ３０９において、キー入力操作が有ると検出した場合には（図４ステップＳ３０９においてＹｅｓ）、キー入力操作に従った所定の処理を実行し、ステップＳ３１０の処理を行う。これは、例えば最初のキー入力時（図４ステップＳ３０１においてＹｅｓ）にユーザーは表示を見て操作した後、次のキー入力時（図４ステップＳ３０９においてＹｅｓ）には、ユーザーが表示を見ないで操作している場合と考えられ、表示部１０４、表示部用バックライト１０５を点灯しないまま小型電子機器１００の操作が可能であり、ユーザーが表示を見ていないのであるから表示部１０４、表示部用バックライト１０５を点灯する必要も無く、無駄な電流消費を防止できる。
【００６０】
図４ステップＳ３０９において、キー入力操作が無く（図４ステップＳ３においてＮｏ）、ステップＳ３０７でｔ秒タイマーがタイムアウトした場合には（図４ステップＳ３においてＹｅｓ）、ユーザーによる意図的なものではなく、偶然キーが押されたものと判断でき、表示部１０４、表示部用バックライト１０５を消灯し（図４ステップＳ３０８）、キー入力部１０６への入力待機を行う（図４ステップＳ３０１）。
【００６１】
図４ステップＳ３１１において、有効と検出した場合にはユーザーによるキー入力操作であると判断し（図４ステップＳ３１１においてＹｅｓ）、制御部１０３は表示部１０４、表示部用バックライト１０５を点灯する（図４ステップＳ３０６）。
【００６２】
以降、ユーザーが表示部１０４を見ながらキー入力操作を続ける間は、ステップＳ３０６からステップＳ３１１を繰り返し、測距センサ１１０によりユーザーが表示部１０４を見ている場合には、表示部１０４、表示部用バックライト１０５を点灯し、ユーザーが表示部１０４を見ていない場合には、表示部１０４、表示部用バックライト１０５を消灯する。このようにユーザーが表示部１０４を見ていないときには、表示部１０４、表示部用バックライト１０５を消灯することで、無駄な電流消費を防止することが可能である。
【００６３】
また、上述の説明では表示部１０４、表示部用バックライト１０５の点灯消灯について説明したが、対象をキー入力部用バックライト１０７として制御するようにしてもよい。更には、表示部１０４、表示部用バックライト１０５とキー入力部用バックライト１０７の両者を制御の対象としてもよい。すなわち、キー入力部用バックライト１０７を具備した小型電子機器１００については、表示部１０４、表示部用バックライト１０５と同じように点灯消灯を制御すれば、更に電流消費を削減することも可能である。
【００６４】
以上説明したように本実施形態によれば、小型電子機器１００においてキー入力操作が有った場合に制御部１０３が測距センサ１１０の測定結果を検出することで、そのキー入力操作がユーザーによる意図的な操作なのか、それとも小型電子機器１００が鞄やポケットの中で偶然にキーが押されたものかを判断することが可能となる。
【００６５】
その結果、ユーザーが表示部１０４を見ている場合には、表示部１０４、表示部用バックライト１０５を点灯し、ユーザーが表示部１０４を見ていない場合には、表示部１０４、表示部用バックライト１０５を消灯する。このようにユーザーが表示部１０４を見ていないときには、表示部１０４、表示部用バックライト１０５を消灯することで、無駄な電流消費を防止することで、小型電子機器１００の使用時間の延命を行うことができ、ユーザーへの利便性が向上する。
【００６６】
［第２の実施形態］
次に、図５のフローチャート図を参照して本発明の他の実施形態（第２の実施形態）の動作について説明する。なお、第２の実施形態における小型電子機器１００の構成は、図１に示す第１の実施形態における小型電子機器１００の構成と同様で有るので説明を省略する。
【００６７】
近年、携帯電話機のみならず、携帯音楽プレーヤーや携帯ゲーム機でもアンテナ１０１や無線通信部１０２を具備しており通信機能を有する小型電子機器１００が増えている。第２の実施形態は、小型電子機器１００においてインターネットブラウジングや小型電子機器１００同士の無線通信時の表示部１０４、表示部用バックライト１０５の点灯消灯制御を行うことで、無駄な電流消費を防止する。
【００６８】
図５において、小型電子機器１００はユーザーによる入力操作の待機、若しくはユーザーによる操作が行われ次の入力操作を待機している状態であるものとする。
【００６９】
制御部１０３は機器１００の無線通信開始操作を検出すると（図５ステップＳ４０１においてＹｅｓ）、測距センサ１１０を起動し、測距センサ１１０の測定結果を検出する（図５ステップＳ４０２）。
【００７０】
測距センサ１１０の測定結果が有効な場合には（図５ステップＳ４０１においてＹｅｓ）表示部１０４、表示部用バックライト１０５を点灯し（図５ステップＳ４０３）、ユーザーによる通信中断操作があるかを検出する（図５ステップＳ４０５）。
【００７１】
一方、ステップＳ４０２で、測距センサ１１０の測定結果が無効な場合には（図５ステップＳ４０１においてＮｏ）表示部１０４、表示部用バックライト１０５を消灯し（図５ステップＳ４０４）、ステップＳ４０５へ移行する。
【００７２】
ユーザーによる通信中断操作がない場合には（図５ステップＳ４０５においてＮｏ）、無線通信が終了したかどうかを検出し（図５ステップＳ４０６）、無線通信が終了していない場合には（図５ステップＳ４０６においてＮｏ）ステップＳ４０２へ戻り、以降上記処理を繰り返す。
【００７３】
ステップＳ４０６で無線通信が終了した場合には（図５ステップＳ４０６においてＹｅｓ）、制御部１０３はｔ秒タイマーを初期化し、タイマーを作動させ（図５ステップＳ４０７）、測距センサの測定結果を検出する。ステップＳ４０５で、ユーザーによる通信中断操作があった場合にも（図５ステップＳ４０５においてＹｅｓ）、ステップＳ４０７へと移行する。ここでｔ秒タイマーは一定時間測距センサ１１０を起動し、ユーザーが表示部１０４を見ているかどうかを検出するためのものである。
【００７４】
ステップＳ４０８において、制御部１０３は測距センサ１１０の測定結果が有効だった場合には（図５ステップＳ４０８においてＹｅｓ）、表示部１０４、表示部用バックライト１０５を点灯し（図５ステップＳ４０９）、ｔ秒タイマーがタイムアウトするまで表示部１０４、表示部用バックライト１０５を点灯し（図５ステップＳ４１０においてＮｏ）、タイムアウトした場合には（図５ステップＳ４１０においてＹｅｓ）表示部１０４、表示部用バックライト１０５を消灯し、キー入力待ち状態に移行する（図５ステップＳ４１３）。
【００７５】
ステップＳ４０８において、制御部１０３は測距センサ１１０の測定結果が無効だった場合には（図５ステップＳ４０８においてＮｏ）、表示部１０４、表示部用バックライト１０５を消灯し（図５ステップＳ４１１）、ｔ秒タイマーがタイムアウトするまで測距センサ１１０の測定結果を検出する（図５ステップＳ４１２においてＮｏ）。ステップＳ４１２でタイムアウトした場合には（図５ステップＳ４１２においてＹｅｓ）、キー入力待ち状態に移行する（図５ステップＳ４１３）。
【００７６】
ここで、ステップＳ４０８〜とＳ４１３のフローの中で、ユーザーによるキー入力操作があった場合には、第１の実施形態での図４のフローに従って処理を行う。すなわち当該キー入力操作により「図４ステップＳ３０１においてＹｅｓ」となり、図４ステップＳ３０２に進むこととなる。また、当該キー入力操作が無線通信の開始を指示する操作であれば、本実施形態の図５のステップＳ４０２以降の処理を行う。すなわち当該キー入力操作により「図５ステップＳ４０１においてＹｅｓ」となり、図５ステップＳ４０２に進むこととなる。
【００７７】
また、上述の説明では表示部１０４、表示部用バックライト１０５の点灯消灯について説明したが、第１の実施形態同様に対象をキー入力部用バックライト１０７として制御するようにしてもよい。更には、表示部１０４、表示部用バックライト１０５とキー入力部用バックライト１０７の両者を制御の対象としてもよい。すなわち、キー入力部用バックライト１０７を具備した小型電子機器１００については、表示部１０４、表示部用バックライト１０５と同じように点灯消灯を制御すれば、更に電流消費を削減することも可能である。
【００７８】
さらに、無線通信の開始、中断、終了をトリガとして、測距センサ１１０の測定結果を検出し、機器１００に具備する機能や部品の電源のＯＮ若しくはＯＦＦを制御することで一層の電流消費を削減することが可能である。
【００７９】
以上のように、第２の実施形態では、無線通信の開始、中断、終了をトリガとして、測距センサの測定結果により表示部１０４、表示部用バックライト１０５の点灯消灯を制御することで、電流消費の削減を行う。これは、例えば携帯電話機であれば、メールを送信したり、ブラウザでＷＥＢサイトを見る場合に、通信中の画面はユーザーにとって有益な情報は皆無に等しく、機器１００の使用時間延命を考えた場合に、ユーザーにとって有益な情報を表示していない場合、あるいはユーザーが表示部１０４を見ていない場合、またはその両方の場合には、表示部１０４、表示部用バックライト１０５を消灯して無駄な電流消費を防止するのが望ましいからである。
【００８０】
すなわち本発明では無線通信の開始、中断、終了をトリガとして、測距センサの測定結果を検出し、表示部１０４、表示部用バックライト１０５の点灯消灯を制御することで、無駄な電流消費を防止し、機器１００の使用時間延命を達成することが可能となる。
【００８１】
なお、本発明の実施形態である表示部をもつ小型電子機器の省電装置は、ハードウェアにより実現することもできるが、コンピュータをその表示部をもつ小型電子機器の省電装置として機能させるためのプログラムをコンピュータがコンピュータ読み取り可能な記録媒体から読み込んで実行することによっても実現することができる。
【００８２】
また、本発明の実施形態による表示部をもつ小型電子機器の省電方法は、ハードウェアにより実現することもできるが、コンピュータにその方法を実行させるためのプログラムをコンピュータがコンピュータ読み取り可能な記録媒体から読み込んで実行することによっても実現することができる。
【００８３】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【００８４】
上記の実施形態の一部又は全部は、以下の付記のようにも記載されうるが、以下には限られない。
【００８５】
（付記１）  点灯及び消灯が可能な照明部と、遠方上の物体の存在の有無及び当該物体までの距離を測定する測距センサと、を有する電子機器において、
前記測距センサが測定を行った結果、前記遠方上の物体が存在し、且つ、当該物体までの距離が予め上限と下限を設定した範囲の中にある場合に条件を満たしていると判断して前記照明部を点灯させることを特徴とする電子機器。
【００８６】
（付記２）  付記１に記載の電子機器において、
外部からの操作を受け付ける入力部と、
予め定めてある時間までカウントをするタイマーと、
を更に備えており、
前記入力部が外部からの操作を受け付けた場合に前記タイマーのカウントをスタートすると共に前記測距センサが測定を開始し、当該測定を行った結果、前記条件を満たしている場合は前記照明部を点灯させ、前記タイマーがタイムアウトするまでに、再度前記条件が満たされない場合は前記照明部を消灯させることを特徴とする電子機器。
【００８７】
（付記３）  付記１に記載の電子機器において、
他の電子機器と通信を行うための通信部と
予め定めてある時間までカウントをするタイマーと、
を更に備えており、
前記通信部が通信を開始した際に前記測距センサが測定を開始し、当該測定を行った結果、前記条件を満たしている場合にのみ前記照明部を点灯させ、前記通信が終了した際又は前記通信が中断された際に前記測定を再度開始し当該測定の結果前記条件を満たしている場合であって、且つ、前記タイマーがタイムアウトしていない場合にのみ前記照明部を点灯させることを特徴とする電子機器。
【００８８】
（付記４）  付記１乃至３の何れかに記載の電子機器において、
前記照明部は前記電子機器が備えている利用者に情報を提示するための表示部を照らすためのバックライトであることを特徴とする電子機器。
【００８９】
（付記５）  付記１乃至３の何れかに記載の電子機器において、
前記照明部は前記電子機器が備えている利用者からの操作を受け付けるための入力部を照らすためのバックライトであることを特徴とする電子機器。
【００９０】
（付記６）  付記１乃至５の何れかに記載の電子機器において、
前記照明部の点灯若しくは消灯と共に、音を発する鳴音報知部又は当該電子機器を振動させるバイブレータの何れか若しくはその組合せの制御も行うことを特徴とする電子機器。
【００９１】
（付記７）  点灯及び消灯が可能な照明部と、遠方上の物体の存在の有無及び当該物体までの距離を測定する測距センサと、を有する電子機器が行う省電方法において、
前記測距センサが測定を行った結果、前記遠方上の物体が存在し、且つ、当該物体までの距離が予め上限と下限を設定した範囲の中である場合に条件を満たしていると判断して前記照明部を点灯させることを特徴とする省電方法。
【００９２】
（付記８）  付記７に記載の省電方法において、
外部からの操作を受け付ける入力部と、
予め定めてある時間までカウントをするタイマーと、
を更に備えており、
前記入力部が外部からの操作を受け付けた場合に前記タイマーのカウントをスタートすると共に前記測距センサが測定を開始し、当該測定を行った結果、前記条件を満たしている場合は前記照明部を点灯させ、前記タイマーがタイムアウトするまでに、再度前記条件が満たされない場合は前記照明部を消灯させることを特徴とする省電方法。
【００９３】
（付記９）  付記７に記載の省電方法において、
他の電子機器と通信を行うための通信部と
予め定めてある時間までカウントをするタイマーと、
を更に備えており、
前記通信部が通信を開始した際に前記測距センサが測定を開始し、当該測定を行った結果、前記条件を満たしている場合にのみ前記照明部を点灯させ、前記通信が終了した際又は前記通信が中断された際に前記測定を再度開始し当該測定の結果前記条件を満たしている場合であって、且つ、前記タイマーがタイムアウトしていない場合にのみ前記照明部を点灯させることを特徴とする省電方法。
【００９４】
（付記１０）  付記７乃至９の何れかに記載の省電方法において、
前記照明部は前記電子機器が備えている利用者に情報を提示するための表示部を照らすためのバックライトであることを特徴とする省電方法。
【００９５】
（付記１１）  付記７乃至９の何れかに記載の省電方法において、
前記照明部は前記電子機器が備えている利用者からの操作を受け付けるための入力部を照らすためのバックライトであることを特徴とする省電方法。
【００９６】
（付記１２）  付記７乃至１１の何れかに記載の省電方法において、
前記照明部の点灯若しくは消灯と共に、音を発する鳴音報知部又は当該電子式機を振動させるバイブレータの何れか若しくはその組合せの制御も行うことを特徴とする省電方法。
【００９７】
（付記１３）  点灯及び消灯が可能な照明部と、遠方上の物体の存在の有無及び当該物体までの距離を測定する測距センサと、を有する電子機器に搭載される省電プログラムにおいて、
前記測距センサが測定を行った結果、前記遠方上の物体が存在し、且つ、当該物体までの距離が予め上限と下限を設定した範囲の中である場合に条件を満たしていると判断して前記照明部を点灯させる電子機器としてコンピュータを機能させることを特徴とする省電プログラム。
【００９８】
（付記１４）  付記１３に記載の省電プログラムにおいて、
外部からの操作を受け付ける入力部と、
予め定めてある時間までカウントをするタイマーと、
を更に備えており、
前記入力部が外部からの操作を受け付けた場合に前記タイマーのカウントをスタートすると共に前記測距センサが測定を開始し、当該測定を行った結果、前記条件を満たしている場合は前記照明部を点灯させ、前記タイマーがタイムアウトするまでに、再度前記条件が満たされない場合は前記照明部を消灯させることを特徴とする省電プログラム。
【００９９】
（付記１５）  付記１３に記載の省電プログラムにおいて、
他の電子機器と通信を行うための通信部と
予め定めてある時間までカウントをするタイマーと、
を更に備えており、
前記通信部が通信を開始した際に前記測距センサが測定を開始し、当該測定を行った結果、前記条件を満たしている場合にのみ前記照明部を点灯させ、前記通信が終了した際又は前記通信が中断された際に前記測定を再度開始し当該測定の結果前記条件を満たしている場合であって、且つ、前記タイマーがタイムアウトしていない場合にのみ前記照明部を点灯させることを特徴とする省電プログラム。
【０１００】
（付記１６）  付記１３乃至１５の何れかに記載の省電プログラムにおいて、
前記照明部は前記電子機器が備えている利用者に情報を提示するための表示部を照らすためのバックライトであることを特徴とする省電プログラム。
【０１０１】
（付記１７）  付記１３乃至１５の何れかに記載の省電プログラムにおいて、
前記照明部は前記電子機器が備えている利用者からの操作を受け付けるための入力部を照らすためのバックライトであることを特徴とする省電プログラム。
【０１０２】
（付記１８）  付記１３乃至１７の何れかに記載の省電プログラムにおいて、
前記照明部の点灯若しくは消灯と共に、音を発する鳴音報知部又は当該電子機器を振動させるバイブレータの何れか若しくはその組合せの制御も行うことを特徴とする省電プログラム。
【産業上の利用可能性】
【０１０３】
本発明は、例えば携帯電話機、ＰＨＳ（Personal Handyphone System）等の小型電子機器における、キー入力時の表示部、表示部用照明、入力部照明の点灯消灯制御に好適である。
【符号の説明】
【０１０４】
１０１  アンテナ
１０２  無線通信部
１０３  制御部
１０４  表示部
１０５  表示部用バックライト
１０６  キー入力部
１０７  キー入力部用バックライト
１０８  クロック回路
１０９  鳴音報知部
１１０  測距センサ
１１１  報知ＬＥＤ
１１２  周辺回路
１１３  電池
【図１】
0005556228.tif 000002
【図２】
0005556228.tif 000003
【図３】
0005556228.tif 000004
【図４】
0005556228.tif 000005
【図５】
0005556228.tif 000006